(57)【要約】  本発明は無線通信システムに関する。より詳しくは、本発明は、１つ以上の候補ターゲットセルのリストを含むハンドオーバー支援情報を受信し、第１候補ターゲットセルがハンドオーバー条件を満たす時、１つ以上の候補ターゲットセルのうち、第１候補ターゲットセルに対する第１任意接続手順、及び第１候補ターゲットセルに対する第１タイマーを開始し、また少なくとも次のイベント：(i)第１タイマーが第１候補ターゲットセルに対して満了すること、(ii)第１候補ターゲットセルに対する任意接続を行う回数が最大数になることのうち、いずれか１つが発生した場合、第１候補ターゲットセルに連結を行うことを中断する、方法及び装置に関する。
2020524937.tif 000002
【特許請求の範囲】
【請求項１】
無線通信システムにおいて端末がハンドオーバー手順を行う方法であって、
１つ以上の候補ターゲットセルのリストを含むハンドオーバー支援情報を受信する段階、
第１候補ターゲットセルがハンドオーバー条件を満たす時、１つ以上の候補ターゲットセルのうち、第１候補ターゲットセルに対する第１任意接続手順を開始し、前記第１候補ターゲットセルに対する第１タイマーを開始する段階、及び
少なくとも次のイベント：前記第１タイマーが前記第１候補ターゲットセルに対して満了すること；及び前記第１候補ターゲットセルに対する任意接続を行う回数が最大数になることのうち、いずれか１つが発生した場合、前記第１候補ターゲットセルに連結を行うことを中断する段階を含んでなる、方法。
【請求項２】
前記１つ以上の候補ターゲットセルのリストは複数の候補ターゲットセルに関する情報を含み、
少なくとも次のイベント：前記第１タイマーが前記第１候補ターゲットセルに対して満了すること；及び前記第１候補ターゲットセルに対する任意接続を行う回数が前記最大数になることのうち、いずれか１つが発生した場合、前記第１候補ターゲットセルを除外して複数の候補ターゲットセルのうち、前記ハンドオーバー条件を満たす任意の候補ターゲットセルが存在するか否かを確認する段階を更に含む、請求項１に記載の方法。
【請求項３】
前記確認の結果、第２候補ターゲットセルが前記ハンドオーバー条件を満たした場合、前記複数の候補ターゲットセルのうち、前記第２候補ターゲットセルに対する第２任意接続手順を開始し、前記第２候補ターゲットセルに対する第２タイマーを開始する段階を更に含む、請求項２に記載の方法。
【請求項４】
前記ハンドオーバー支援情報が受信された時、第３タイマーを開始する段階、及び
前記第３タイマーが満了した時、無線リソース制御(ＲＲＣ)連結再設定手順を行う段階を更に含む、請求項１に記載の方法。
【請求項５】
前記任意接続を行う回数は任意接続プリアンブルの送信回数を含む、請求項１に記載の方法。
【請求項６】
前記ハンドオーバー条件を満たすことは、所定時間の間に前記第１候補ターゲットセルのチャネル品質が臨界値以上であることを含む、請求項１に記載の方法。
【請求項７】
無線通信システムで動作するための端末(ＵＥ)であって、
無線周波数(ＲＦ)モジュール；及び
プロセッサを備えてなり、
前記プロセッサは、ＲＦモジュールと動作可能に連結され、
１つ以上の候補ターゲットセルのリストを含むハンドオーバー支援情報を受信し、第１候補ターゲットセルがハンドオーバー条件を満たす時、１つ以上の候補ターゲットセルのうち、第１候補ターゲットセルに対する第１任意接続手順を開始し、前記第１候補ターゲットセルに対する第１タイマーを開始し、また少なくとも次のイベント：前記第１タイマーは前記第１候補ターゲットセルに対して満了すること；及び前記第１候補ターゲットセルに対する任意接続を行う回数が最大数になることのうち、いずれか１つが発生した場合、前記第１候補ターゲットセルに連結を行うことを中断するように構成されてなる、端末。
【請求項８】
前記１つ以上の候補ターゲットセルのリストは複数の候補ターゲットセルに関する情報を含んでなり、
前記プロセッサは、更に、少なくとも次のイベント；前記第１タイマーは第１候補ターゲットセルに対して満了すること；及び前記第１候補ターゲットセルに対する任意接続を行う回数が最大数になることのうち、いずれか１つが発生した場合、前記第１候補ターゲットセルを除外して複数の候補ターゲットセルのうち、前記ハンドオーバー条件を満たす任意の候補ターゲットセルが存在するか否かを確認するように構成される、請求項７に記載の端末。
【請求項９】
前記プロセッサは、更に、前記確認の結果、第２候補ターゲットセルが前記ハンドオーバー条件を満たした場合、前記複数の候補ターゲットセルのうち、前記第２候補ターゲットセルに対する第２任意接続手順を開始し、前記第２候補ターゲットセルに対する第２タイマーを開始するように構成される、請求項８に記載の端末。
【請求項１０】
前記プロセッサは、更に、前記ハンドオーバー支援情報が受信された時、第３タイマーを開始し、前記第３タイマーが満了した時、無線リソース制御(ＲＲＣ)連結再設定手順を行うように構成される、請求項７に記載の端末。
【請求項１１】
前記任意接続を行う回数は任意接続プリアンブル送信回数を含む、請求項７に記載の端末。
【請求項１２】
前記ハンドオーバー条件を満たすことは、所定時間の間に前記第１候補ターゲットセルのチャネル品質が臨界値以上であることを含む、請求項７に記載の端末。
【発明の詳細な説明】
【技術分野】
【０００１】
本発明は無線通信システムに関し、より詳しくは、無線通信システムにおいてハンドオーバー手順を行う方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は無線通信システムの一例としてＥ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進展したシステムであり、現在３ＧＰＰで基礎的な標準化作業が進行中である。一般に、Ｅ−ＵＭＴＳをＬＴＥシステムとも言える。ＩＭＳによる音声(ＶｏＩＰ)及びパケットデータのように様々な通信サービスを提供するために、通信網が広範囲に配置される。
【０００４】
図１を参照すると、Ｅ−ＵＭＴＳは、端末(Ｕｓｅｒ Ｅｑｕｉｐｍｅｎｔ；ＵＥ)、基地局(ｅＮｏｄｅＢ；ｅＮＢ)及びネットワーク(Ｅ−ＵＴＲＡＮ)の終端に位置して、外部ネットワークに接続する接続ゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
１つの基地局には１つ以上のセルが存在する。セルは１．２５、２．５、５、１０、１５、２０ＭＨｚなどの帯域幅のいずれか１つに設定され、複数の端末に下り又は上り送信サービスを提供する。互いに異なるセルは、互いに異なる帯域幅を提供するように設定される。基地局は、複数の端末に対するデータ送受信を制御する。下りリンク(Ｄｏｗｎｌｉｎｋ；ＤＬ)データに対して、基地局は下りリンクスケジューリング情報を送信し、該当端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク(Ｃｏｒｅ Ｎｅｔｗｏｒｋ；ＣＮ)はＡＧ及び端末のユーザ登録などのためのネットワークノードなどで構成可能である。ＡＧは複数のセルで構成されるＴＡ(Ｔｒａｃｋｉｎｇ Ａｒｅａ)単位に端末の移動性を管理する。
【０００６】
無線通信技術は広帯域コード分割多重接続(ｗｉｄｅｂａｎｄ Ｃｏｄｅ Ｄｉｖｉｓｉｏｎ Ｍｕｌｔｉｐｌｅ Ａｃｃｅｓｓ；ＷＣＤＭＡ（登録商標）)に基づいてＬＴＥとＮＲまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【０００７】
より多い通信装置がより大きい通信容量を要求することにより、既存のＲＡＴに比べて向上したモバイル広帯域通信が必要性が台頭しつつある。また、複数の機器及びモノを連結して様々なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)が次世代通信(Ｎｅｗ ｒａｄｉｏ；ＮＲ)において考慮される主なイシューの１つである。また、信頼性(ｒｅｌｉａｂｉｌｉｔｙ)及び遅延(ｌａｔｅｎｃｙ)に敏感なサービス／ＵＥを考慮した通信システム設計が論議されている。このように改善した移動広帯域通信(ｅｎｈａｎｃｅｄ ｍｏｂｉｌｅ ｂｒｏａｄｂａｎｄ；ｅＭＢＢ)、送信及び超高信頼度と低い待期時間通信(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ；ＵＲＬＬＣ)などを考慮した次世代ＲＡＴの導入が論議されている。
【発明の概要】
【発明が解決しようとする課題】
【０００８】
本発明の目的は、無線通信システムにおいてハンドオーバー手順を効率的に行うための方法及び装置を提供することにある。
【０００９】
本発明で遂げようとする技術的目的は以上で言及した事項に限定されず、言及していない別の技術的課題は、以下に説明する本発明の実施例から、本発明の属する技術の分野における通常の知識を有する者によって考慮されるであろう。
【課題を解決するための手段】
【００１０】
本発明の一側面において、無線通信システムにおいて端末がハンドオーバー手順を行う方法が提供される。この方法は、１つ以上の候補ターゲットセルのリストを含むハンドオーバー支援情報を受信する段階、第１候補ターゲットセルがハンドオーバー条件を満たす時、１つ以上の候補ターゲットセルのうち、第１候補ターゲットセルに対する第１任意接続手順を開始し、第１候補ターゲットセルに対する第１タイマーを開始する段階、及び少なくとも次のイベント：(i)第１タイマーが第１候補ターゲットセルに対して満了すること、(ii)第１候補ターゲットセルに対する任意接続を行う回数が最大数になることのうち、いずれか１つが発生した場合、第１候補ターゲットセルに連結を行うことを中断する段階を含む。
【００１１】
好ましくは、１つ以上の候補ターゲットセルのリストは複数の候補ターゲットセルに関する情報を含み、さらにこの方法は、少なくとも次のイベント：(i)第１タイマーが第１候補ターゲットセルに対して満了すること、(ii)第１候補ターゲットセルに対する任意接続を行う回数が最大数になることのうち、いずれか１つが発生した場合、第１候補ターゲットセルを除外して複数の候補ターゲットセルのうち、ハンドオーバー条件を満たす任意の候補ターゲットセルが存在するか否かを確認する段階を含む。
【００１２】
好ましくは、さらにこの方法は、上記確認結果、第２候補ターゲットセルがハンドオーバー条件を満たした場合、複数の候補ターゲットセルのうち、第２候補ターゲットセルに対する第２任意接続手順を開始し、第２候補ターゲットセルに対する第２タイマーを開始する段階を含む。
【００１３】
好ましくは、さらにこの方法は、ハンドオーバー支援情報が受信された時、第３タイマーを開始する段階、及び第３タイマーが満了した時、無線リソース制御(ＲＲＣ)連結再設定手順を行う段階を含む。
【００１４】
好ましくは、任意接続を行う回数は任意接続プリアンブルの送信回数を含む。
【００１５】
好ましくは、ハンドオーバー条件を満たすことは、所定時間の間に第１候補ターゲットセルのチャネル品質が臨界値以上であることを含む。
【００１６】
本発明の他の側面において、無線通信システムで動作するための端末(ＵＥ)が提供される。この端末は、無線周波数(ＲＦ)モジュール及びＲＦモジュールと動作可能に連結され、１つ以上の候補ターゲットセルのリストを含むハンドオーバー支援情報を受信し、第１候補ターゲットセルがハンドオーバー条件を満たす時、１つ以上の候補ターゲットセルのうち、第１候補ターゲットセルに対する第１任意接続手順を開始し、第１候補ターゲットセルに対する第１タイマーを開始し、また少なくとも次のイベント：(i)第１タイマーは第１候補ターゲットセルに対して満了すること、(ii)第１候補ターゲットセルに対する任意接続を行う回数が最大数になることのうち、いずれか１つが発生した場合、第１候補ターゲットセルに連結を行うことを中断するように構成されたプロセッサを含む。
【００１７】
好ましくは、１つ以上の候補ターゲットセルのリストは複数の候補ターゲットセルに関する情報を含み、さらにプロセッサは、少なくとも次のイベント：(i)第１タイマーは第１候補ターゲットセルに対して満了すること、(ii)第１候補ターゲットセルに対する任意接続を行う回数が最大数になることのうち、いずれか１つが発生した場合、第１候補ターゲットセルを除外して複数の候補ターゲットセルのうち、ハンドオーバー条件を満たす任意の候補ターゲットセルが存在するか否かを確認するように構成される。
【００１８】
好ましくは、さらにプロセッサは、上記確認結果、第２候補ターゲットセルがハンドオーバー条件を満たした場合、複数の候補ターゲットセルのうち、第２候補ターゲットセルに対する第２任意接続手順を開始し、第２候補ターゲットセルに対する第２タイマーを開始するように構成される。
【００１９】
好ましくは、さらにプロセッサは、ハンドオーバー支援情報が受信された時、第３タイマーを開始し、第３タイマーが満了した時、無線リソース制御(ＲＲＣ)連結再設定手順を行うように構成される。
【００２０】
好ましくは、任意接続を行う回数は任意接続プリアンブル送信回数を含む。
【００２１】
好ましくは、ハンドオーバー条件を満たすことは、所定時間の間に第１候補ターゲットセルのチャネル品質が臨界値以上であることを含む。
【発明の効果】
【００２２】
本発明によれば、無線通信システムにおいてハンドオーバー手順を効率的に行うことができる。
【００２３】
本発明で得られる効果は以上に言及した効果に制限されず、言及しなかった他の効果は下記の記載から本発明が属する当該技術分野における当業者に明確に理解されるであろう。
【図面の簡単な説明】
【００２４】
本発明に関する理解を助けるために詳細な説明の一部として含まれる添付図面は、本発明に対する実施例を提供し、詳細な説明と共に本発明の技術的思想を説明する。
【００２５】
【図１】無線通信システムの一例として、Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)のネットワーク構造を示す図である。
【図２Ａ】図２ＡはＥ−ＵＭＴＳのネットワーク構造を示すブロック図である。
【図２Ｂ】図２Ｂは典型的なＥ−ＵＴＲＡＮ及び典型的なＥＰＣのアーキテクチャを示すブロック図である。
【図３】３ＧＰＰ(３ｒｄ ｇｅｎｅｒａｔｉｏｎ ｐａｒｔｎｅｒｓｈｉｐ ｐｒｏｊｅｃｔ)無線接続ネットワーク標準に基づいて端末とＥ−ＵＴＲＡＮの間の無線インターフェースプロトコルの制御平面及びユーザ平面を示す図である。
【図４Ａ】図４ＡはＮＧ−ＲＡＮ(ＮＧ ｒａｄｉｏ Ａｃｃｅｓｓ Ｎｅｔｗｏｒｋ)アーキテクチャのネットワーク構造を示すブロック図である。
【図４Ｂ】図４ＢはＮＧ−ＲＡＮと５Ｇコアネットワーク(５Ｇ Ｃｏｒｅ Ｎｅｔｗｏｒｋ；５ＧＣ)の間の機能的分割のアーキテクチャを示すブロック図である。
【図５】３ＧＰＰ無線接続ネットワーク標準に基づいて端末とＮＧ−ＲＡＮの間の無線インターフェースプロトコルの制御平面及びユーザ平面を示す図である。
【図６Ａ】任意接続過程を例示する図である。
【図６Ｂ】任意接続過程を例示する図である。
【図７】基地局の間(ｉｎｔｅｒ−ｇＮＢ)のハンドオーバー手順を示す図である。
【図８】連結再設定の手順を示す図である。
【図９】条件によるハンドオーバー手順を示す図である。
【図１０】本発明の一例によるハンドオーバー手順を示す図である。
【図１１】本発明の一実施例による通信装置を示すブロック図である。
【発明を実施するための形態】
【００２６】
ＵＭＴＳ(Ｕｎｉｖｅｒｓａｌ Ｍｏｂｉｌｅ Ｔｅｌｅｃｏｍｍｕｎｉｃａｔｉｏｎ Ｓｙｓｔｅｍ)はヨーロッパシステム、ＧＳＭ（登録商標）(Ｇｌｏｂａｌ ｓｙｓｔｅｍ ｆｏｒ ｍｏｂｉｌｅ ｃｏｍｍｕｎｉｃａｔｉｏｎ)及びＧＰＲＳ(Ｇｅｎｅｒａｌ Ｐａｃｋｅｔ ｒａｄｉｏ Ｓｅｒｖｉｃｅ)に基づくＷＣＤＭＡ（登録商標）(ｗｉｄｅｂａｎｄ Ｃｏｄｅ Ｄｉｖｉｓｉｏｎ Ｍｕｌｔｉｐｌｅ Ａｃｃｅｓｓ)で動作する３世代(３ｒｄ Ｇｅｎｅｒａｔｉｏｎ、３Ｇ)非同期の移動通信システムである。ＵＭＴＳのＬＴＥ(Ｌｏｎｇ−Ｔｅｒｍ Ｅｖｏｌｕｔｉｏｎ)はＵＭＴＳを規格化する３ＧＰＰにより論議されている。
【００２７】
３ＧＰＰ ＬＴＥは高速パケット通信を可能にする技術である。ユーザ及び提供者の費用を減少させ、サービス品質を改善し、カバレッジ(ｃｏｖｅｒａｇｅ)及びシステム容量を拡張及び改善することを目的とするＬＴＥ課題のための多くの方法が提案されている。３Ｇ ＬＴＥは上位−レベル要求であって、ビット当たりの費用減少、増加したサービス可用性、周波数帯域の柔軟性、単純な構造、開放型インタフェース及び端末の適切な電力消耗を要求する。
【００２８】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２９】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また本明細書ではＦＤＤ方式に基づいて本発明の実施例を説明するが、これは例示に過ぎず、本発明の実施例は、Ｈ−ＦＤＤ方式又はＴＤＤ方式にも容易に変形して適用可能である。
【００３０】
図２ＡはＥ−ＵＴＲＡＮ(Ｅｖｏｌｖｅｄ−Ｕｎｉｖｅｒｓａｌ Ｔｅｒｒｅｓｔｒｉａｌ Ｒａｄｉｏ Ａｃｃｅｓｓ Ｎｅｔｗｏｒｋ)網構造を示すブロック図である。Ｅ−ＵＭＴＳはＬＴＥシステムとも呼ばれる。通信網はＩＭＳ及びパケットデータを通じたＶｏＩＰ(Ｖｏｉｃｅ ｏｖｅｒ ＩＰ)などの多様なサービスを提供するために広く配置される。
【００３１】
図２Ａに示したように、Ｅ−ＵＭＴＳ網は、Ｅ−ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(Ｅｖｏｌｖｅｄ Ｐａｃｋｅｔ Ｃｏｒｅ)及び１つ以上の端末を含む。Ｅ−ＵＴＲＡＮは１つ以上のｅＮＢ(ｅｖｏｌｖｅｄ ＮｏｄｅＢ)２０を含み、複数の端末１０が１つのセルに位置する。１つ以上のＥ−ＵＴＲＡＮ ＭＭＥ(Ｍｏｂｉｌｉｔｙ Ｍａｎａｇｅｍｅｎｔ Ｅｎｔｉｔｙ)／ＳＡＥ(Ｓｙｓｔｅｍ Ａｒｃｈｉｔｅｃｔｕｒｅ Ｅｖｏｌｕｔｉｏｎ)ゲートウェイ３０はネットワークの終端に位置し、外部ネットワークに接続することもできる。
【００３２】
本明細書において、「下りリンク(ｄｏｗｎｌｉｎｋ)」はｅＮＢ２０から端末１０への通信を称し、「上りリンク(ｕｐｌｉｎｋ)」は端末１０からｅＮＢ２０への通信を称する。端末１０はユーザによって運搬される通信装備を称し、移動局(Ｍｏｂｉｌｅ Ｓｔａｔｉｏｎ、ＭＳ)、ユーザ端末(Ｕｓｅｒ Ｔｅｒｍｉｎａｌ、ＵＴ)、加入者ステーション(Ｓｕｂｓｃｒｉｂｅｒ Ｓｔａｔｉｏｎ、ＳＳ)又は無線装置とも称される。
【００３３】
図２Ｂは一般的なＥ−ＵＴＲＡＮと一般的なＥＰＣの構造を示すブロック図である。
【００３４】
図２Ｂに示したように、ｅＮＢ２０は、ユーザ平面及び制御平面のエンドポイント(ｅｎｄ ｐｏｉｎｔ)をＵＥ１０に提供する。ＭＭＥ／ＳＡＥゲートウェイ３０はセッション及び移動性管理機能のエンドポイントをＵＥ１０に提供する。ｅＮＢ２０及びＭＭＥ／ＳＡＥゲートウェイ３０はＳ１インタフェースを介して接続される。
【００３５】
ｅＮＢ２０は一般にＵＥ１０と通信する固定局であって、基地局(ＢＳ)又はアクセスポイント(ａｃｃｅｓｓ ｐｏｉｎｔ)とも称される。１つのｅＮＢ２０はセルごとに配置することができる。ユーザトラフィック又は制御トラフィックを送信するためのインタフェースをｅＮＢ２０間で使用することができる。
【００３６】
ＭＭＥは、ｅＮＢ２０に対するＮＡＳシグナリング、ＮＡＳシグナリング保安、ＡＳ保安制御、３ＧＰＰ接続ネットワーク間の移動性のためのインター(ｉｎｔｅｒ)ＣＮノードシグナリング、(ページング再送信の制御及び実行を含む)遊休モード(ｉｄｌｅ ｍｏｄｅ)ＵＥ接近性(Ｒｅａｃｈａｂｉｌｉｔｙ)、(遊休モード及び活性モード(ａｃｔｉｖｅ ｍｏｄｅ)のＵＥのための)トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、(ＥＴＷＳ及びＣＭＡＳを含む)ＰＷＳメッセージ送信のためのサポートを含む多様な機能を行う。ＳＡＥゲートウェイホストは、パー−ユーザ(Ｐｅｒ−ｕｓｅｒ)基盤のパケットフィルタリング(例えば、深層パケット検査を使用)、適法なインターセプション(Ｌａｗｆｕｌ Ｉｎｔｅｒｃｅｐｔｉｏｎ)、ＵＥ ＩＰアドレス割り当て、下りリンクでの送信(Ｔｒａｎｓｐｏｒｔ)レベルパケットマーキング、ＵＬ及びＤＬサービスレベル課金、ゲーティング及びレート強化、ＡＰＮ−ＡＭＢＲに基づいたＤＬレート強化を含む多様な機能を提供する。ＭＭＥ／ＳＡＥゲートウェイ３０は明確性のために本明細書では単純に「ゲートウェイ」と称する。しかし、ＭＭＥ／ＳＡＥゲートウェイ３０はＭＭＥ及びＳＡＥゲートウェイの両方を全て含む。
【００３７】
複数のノードは、ｅＮＢ２０とゲートウェイ３０との間でＳ１インタフェースを介して連結される。各ｅＮＢ２０はＸ２インタフェースを介して相互接続することができ、各隣接ｅＮＢはＸ２インタフェースを有するメッシュネットワーク構造(ｍｅｓｈｅｄ ｎｅｔｗｏｒｋ ｓｔｒｕｃｔｕｒｅ)を有することができる。
【００３８】
図２Ｂに示したように、ｅＮＢ２０は、ゲートウェイ３０に対する選択、無線リソース制御(Ｒａｄｉｏ Ｒｅｓｏｕｒｃｅ Ｃｏｎｔｒｏｌ、ＲＲＣ)活性化の間、ゲートウェイに向かうルーティング、ページングメッセージのスケジューリング及び送信、ブロードキャストチャネル(ＢＣＣＨ)情報のスケジューリング及び送信、上りリンク及び下りリンクの全てにおける各ＵＥ１０のための動的リソース割り当て、ｅＮＢ測定の構成及び準備、無線ベアラ制御、無線承認制御(Ｒａｄｉｏ Ａｄｍｉｓｓｉｏｎ Ｃｏｎｔｒｏｌ、ＲＡＣ)及びＬＴＥ＿ＡＣＴＩＶＥ状態での接続移動性制御などの各機能を行う。ＥＰＣにおいて、ゲートウェイ３０はページング発信、ＬＴＥ＿ＩＤＬＥ状態管理、ユーザ平面暗号化、システム構造エボリューション(Ｓｙｓｔｅｍ Ａｒｃｈｉｔｅｃｔｕｒｅ Ｅｖｏｌｕｔｉｏｎ、ＳＡＥ)ベアラ制御及び非−接続層(Ｎｏｎ−Ａｃｃｅｓｓ Ｓｔｒａｔｕｍ、ＮＡＳ)シグナリングの暗号化及び無欠性保護などの各機能を行う。
【００３９】
ＥＰＣは、移動性管理エンティティ(Ｍｏｂｉｌｉｔｙ Ｍａｎａｇｅｍｅｎｔ Ｅｎｔｉｔｙ、ＭＭＥ)、サービング−ゲートウェイ(ｓｅｒｖｉｎｇ−ｇａｔｅｗａｙ、Ｓ−ＧＷ)及びパケットデータネットワーク−ゲートウェイ(Ｐａｃｋｅｔ Ｄａｔａ Ｎｅｔｗｏｒｋ−Ｇａｔｅｗａｙ、ＰＤＮ−ＧＷ)を含む。ＭＭＥは、主に各端末の移動性を管理する目的で用いられる接続及び可用性に対する情報を有する。Ｓ−ＧＷは、Ｅ−ＵＴＲＡＮを終端点として有するゲートウェイで、ＰＤＮ−ＧＷは、パケットデータネットワーク(ＰＤＮ)を終端点として有するゲートウェイである。
【００４０】
図３は３ＧＰＰ無線接続網規格に基づく端末とＥ−ＵＴＲＡＮとの間の無線インターフェースプロトコルの制御平面及びユーザ平面の構造を示す図である。制御平面とは、端末とネットワークとが信号を管理するために用いる制御メッセージが送信される通路のことを意味する。ユーザ平面とは、アプリケーション層で生成されたデータ、例えば、音声データ又はインターネットパケットデータなどが送信される通路のことを意味する。
【００４１】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位の媒体接続制御(Ｍｅｄｉｕｍ Ａｃｃｅｓｓ Ｃｏｎｔｒｏｌ)層とは送信チャネル(Ｔｒａｎｓｐｏｒｔ Ｃｈａｎｎｅｌ)を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいてＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００４２】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を通じて、上位層である無線リンク制御(Ｒａｄｉｏ Ｌｉｎｋ Ｃｏｎｔｒｏｌ；ＲＬＣ)層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰｖ４やＩＰｖ６のようなＩＰパケットを効率的に送信するために、余分の制御情報を減らすヘッダー圧縮(Ｈｅａｄｅｒ Ｃｏｍｐｒｅｓｓｉｏｎ)機能を果たす。
【００４３】
第３層の最下部に位置する無線リソース制御(Ｒａｄｉｏ Ｒｅｓｏｕｒｃｅ Ｃｏｎｔｒｏｌ；ＲＲＣ)層は制御平面にのみ定義される。ＲＲＣ層は無線ベアラー(Ｒａｄｉｏ Ｂｅａｒｅｒ)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して、論理チャネル、送信チャネル及び物理チャネルの制御を担当する。無線ベアラー(ＲＢ)とは、端末とネットワーク間のデータ伝達のために第２層により提供されるサービスのことを意味する。そのために、端末のＲＲＣ層とネットワークのＲＲＣ層とはＲＲＣメッセージを互いに交換する。
【００４４】
ｅＮＢを構成する１つのセルは、１.２５、２.５、５、１０、１５、２０ＭＨｚなどの帯域幅のうちの１つに設定されて、複数の端末に下り又は上り送信サービスを提供する。互いに異なるセルは、互いに異なる帯域幅を提供するように設定される。
【００４５】
Ｅ−ＵＴＲＡＮから端末への送信のための下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージは、下りＳＣＨを介して送信されてもよく、別の下りＭＣＨ(Ｍｕｌｔｉｃａｓｔ Ｃｈａｎｎｅｌ)を介して送信されてもよい。
【００４６】
一方、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャネルの上位に存在し、送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００４７】
図４ＡはＮＧ無線アクセスネットワーク(ＮＧ−ＲＡＮ)アーキテクチャのネットワーク構造を示すブロック図であり、図４ＢはＮＧ−ＲＡＮと５Ｇコアネットワーク(５ＧＣ)の間の機能的分割アーキテクチャを説明するブロック図である。
【００４８】
ＮＧ−ＲＡＮノードは、端末にＮＲユーザ平面及び制御平面プロトコル終端を提供するｇＮＢ、又は端末にＥ−ＵＴＲＡユーザ平面及び制御平面プロトコル終端を提供するｎＧ−ｅＮＢである。
【００４９】
ｇＮＢとｎｇ−ｅＮＢはＸｎインターフェースを介して互いに連結される。またｇＮＢ及びｎｇ−ｅＮＢはＮＧインターフェースを介して５ＧＣに、より具体的にはＮＧ−Ｃインターフェースを介してＡＭＦ(Ａｃｃｅｓｓ ａｎｄ Ｍｏｂｉｌｉｔｙ Ｍａｎａｇｅｍｅｎｔ Ｆｕｎｃｔｉｏｎ)に、またＮＧ−Ｕインターフェースを介してＵＰＦ(Ｕｓｅｒ Ｐｌａｎｅ Ｆｕｎｃｔｉｏｎ)に連結される。
【００５０】
ＸｎインターフェースはＸｎユーザ平面(Ｘｎ−Ｕ)とＸｎ制御平面(Ｘｎ−Ｃ)を含む。Ｘｎユーザ平面(Ｘｎ−Ｕ)インターフェースは２つのＮＧ−ＲＡＮノードの間に定義される。送信ネットワーク階層はＩＰ送信上に構築され、ＧＴＰ−Ｕはユーザ平面ＰＤＵを送信するためにＵＤＰ／ＩＰ上端で使用される。Ｘｎ−Ｕはユーザ平面ＰＤＵの無保証(ｎｏｎ−ｇｕａｒａｎｔｅｅｄ)伝達を提供し、以下の機能を支援する。i)データフォーワーディング及びii)フロー制御。Ｘｎ制御平面インターフェース(Ｘｎ−Ｃ)は２つのＮＧ−ＲＡＮノードの間に定義される。送信ネットワーク階層はＩＰ上端のＳＣＴＰ上に構築される。アプリケーション階層シグナリングプロトコルは、ＸｎＡＰ(Ｘｎ Ａｐｐｌｉｃａｔｉｏｎ Ｐｒｏｔｏｃｏｌ)とも呼ばれる。ＳＣＴＰ階層はアプリケーション階層メッセージの保障された伝達を提供する。送信ＩＰ階層においてポイント−ｔｏ−ポイント(ｐｏｉｎｔ−ｔｏ−ｐｏｉｎｔ)送信は、シグナリングＰＤＵを伝達する時に使用される。Ｘｎ−Ｃインターフェースは、i)Ｘｎインターフェース管理、ii)コンテキスト送信及びＲＡＮページングを含むＵＥ移動性管理、及びiii)二重連結性(Ｄｕａｌ ｃｏｎｎｅｃｔｉｖｉｔｙ)機能を支援する。
【００５１】
ＮＧインターフェースにはＮＧユーザ平面(ＮＧ−Ｕ)及びＮＧ制御平面(ＮＧ−Ｃ)が含まれる。ＮＧユーザ平面インターフェース(ＮＧ−Ｕ)はＮＧ−ＲＡＮノードとＵＰＦの間に定義される。送信ネットワーク階層はＩＰ送信上に構築され、ＧＴＰ−ＵはＮＧ−ＲＡＮノードとＵＰＦの間でユーザ平面ＰＤＵを伝達するためにＵＤＰ／ＩＰ上端で使用される。ＮＧ−ＵはＮＧ−ＲＡＮノードとＵＰＦの間のユーザ平面ＰＤＵの無保証伝達を提供する。
【００５２】
ＮＧ制御平面インターフェース(ＮＧ−Ｃ)はＮＧ−ＲＡＮノードとＡＭＦの間で定義される。送信ネットワーク階層はＩＰ送信上に構築される。信号メッセージの安定した送信のために、ＳＣＴＰがＩＰ上端に追加される。アプリケーション階層シグナリングプロトコルはＮＧＡＰ(ＮＧＡｐｐｌｉｃａｔｉｏｎ Ｐｒｏｔｏｃｏｌ)とも呼ばれる。ＳＣＴＰ階層はアプリケーション階層メッセージの保障された伝達を提供する。この送信時、ＩＰ階層ポイント−ｔｏ−ポイント送信を使用してシグナリングＰＤＵを伝達する。
【００５３】
ＮＧ−Ｃは、i)ＮＧインターフェース管理、ii)ＵＥコンテキスト管理、iii)ＵＥ移動性管理、iv)設定伝達、及びv)警告メッセージ送信機能を提供する。
【００５４】
ｇＮＢ及びｎｇ−ｅＮＢは、i)無線リソース管理のための機能、即ち、無線ベアラ制御、無線許容制御、接続移動性制御、上りリンク及び下りリンク(スケジューリング)の全てにおいて、ＵＥに対するリソースの動的割り当て、ii)ＩＰヘッダ圧縮、データの暗号化及び無欠性保護、iii)端末が提供する情報からＡＭＦへのルーティングを決定できない時、端末付着時、ＡＭＦの選択、iv)ＵＰＦに向かうユーザ平面データのルーティング、v)ＡＭＦに向かう制御平面情報のルーティング、vi)連結設定及びリリース、vii)(ＡＭＦで発生した)ページングメッセージのスケジューリング及び送信、viii)(ＡＭＦ又はＯ＆Ｍで発生した)システム放送情報のスケジューリング及び送信、ix)移動性及びスケジューリングのための測定及び測定報告設定、x)上りリンクにおける送信レベルのパケットマーキング、xi)セクション管理、xii)ネットワークスライス支援及びxiii)ＱｏＳフロー管理及びデータ無線ベアラへのマッピングなどの機能を担当する。ＡＭＦ(Ａｃｃｅｓｓ ａｎｄ Ｍｏｂｉｌｉｔｙ Ｍａｎａｇｅｍｅｎｔ Ｆｕｎｃｔｉｏｎ)は、i)ＮＡＳシグナリング終了、ii)ＮＡＳ信号保安、iii)ＡＳ保安制御、iv)３ＧＰＰアクセスネットワークの間の移動性のためのインターＣＮノードシグナリング、v)休止モードＵＥ到達可能性(ページング再送信の制御及び実行を含む)、vi)登録領域管理、vii)システム内及びシステム間の移動性支援、viii)アクセス認証、ix)移動性管理制御(加入及び政策)、x)ネットワークスライス支援、及びxi)ＳＭＦ選択の主要機能を担当する。
【００５５】
ＵＰＦ(Ｕｓｅｒ Ｐｌａｎｅ Ｆｕｎｃｔｉｏｎ)は、i)Ｉｎｔｒａ／Ｉｎｔｅｒ−ＲＡＴの移動性のためのアンカーポイント(該当する場合)、ii)データネットワークに対する相互連結の外部ＰＤＵセクションポイント、iii)パケット検査及び政策規則執行のユーザ平面部分、iv)トラフィック使用報告、v)データネットワークへのトラフィックフローのルーティングを支援する上りリンク分類器、vi)ユーザ平面に対するＱｏＳ処理、例えば、パケットフィルタリング、ゲーティング、ＵＬ／ＤＬレート施行、及びvii)上りリンクトラフィック検証(ＳＤＦ対ＱｏＳフローマッピング)の主要機能を担当する。
【００５６】
セクション管理機能(Ｓｅｓｓｉｏｎ Ｍａｎａｇｅｍｅｎｔ Ｆｕｎｃｔｉｏｎ、ＳＭＦ)は、i)セクション管理、ii)ＵＥ ＩＰ住所割り当て及び管理、iii)ＵＰ機能の選択及び制御、iv)トラフィックを適切な対象にルーティングするためにＵＰＦにおけるトラフィック調整設定、v)政策執行の制御部分及びＱｏＳ制御、vi)下りリンクデータ通報の主要機能を担当する。
【００５７】
図５は３ＧＰＰ無線アクセスネットワーク標準に基づくＵＥとＮＧ−ＲＡＮの間の無線インターフェースプロトコルの制御平面及びユーザ平面を示す図である。
【００５８】
ユーザ平面プロトコルスタックは、Ｐｈｙ、ＭＡＣ、ＲＬＣ、ＰＤＣＰ及び５Ｇ ＱｏＳモデルを支援するために新しく導入したＳＤＡＰ(Ｓｅｒｖｉｃｅ Ｄａｔａ Ａｄａｐｔａｔｉｏｎ Ｐｒｏｔｏｃｏｌ)を含む。
【００５９】
ＳＤＡＰエンティティの主要サービス及び機能は、i)ＱｏＳフローとデータ無線ベアラの間のマッピング、ii)ＤＬ及びＵＬパケットの全てにおけるＱｏＳフローＩＤ(ＱＦＩ)指標である。ＳＤＡＰの単一プロトコルエンティティは各々の個別ＰＤＵセクションごとに設定される。
【００６０】
ＱｏＳフローについて上位階層からＳＤＡＰ ＳＤＵの受信時、送信ＳＤＡＰエンティティはＱｏＳフローについて貯蔵されたＱｏＳフロー対ＤＲＢマッピング規則がない場合、ＳＤＡＰ ＳＤＵをデフォルトＤＲＢにマッピングすることができる。ＱｏＳフローについて貯蔵されたＱｏＳフロー対ＤＲＢマッピング規則がある場合、ＳＤＡＰエンティティは貯蔵されたＱｏＳフロー対ＤＲＢマッピング規則によってＳＤＢ ＳＤＵをＤＲＢにマッピングすることができる。また、ＳＤＡＰエンティティはＳＤＡＰ ＰＤＵを構成して下位階層に伝達できる。
【００６１】
次に、任意接続過程について説明する。任意接続過程は、ＲＡＣＨ(Ｒａｎｄｏｍ Ａｃｃｅｓｓ Ｃｈａｎｎｅｌ)過程とも呼ばれる。任意接続過程は、初期接続、アップリンク同期調整、リソース割当、ハンドオーバーなどの用途に様々に用いられる。任意接続過程は、競合基盤の(ｃｏｎｔｅｎｔｉｏｎ−ｂａｓｅｄ)過程と、専用(ｄｅｄｉｃａｔｅｄ)(即ち、非競合基盤の)過程とに分類される。競合基盤の任意接続過程において端末はＲＡＣＨプリアンブルシーケンスをランダムに選択する。そのため、複数の端末が同時に同一のＲＡＣＨプリアンブルシーケンスを送信することができ、このことから、以降、競合解消過程が必要となる。これに対し、専用任意接続過程において端末は、基地局が当該端末に唯一に割り当てたＲＡＣＨプリアンブルシーケンスを用いる。そのため、他の端末との衝突無しで任意接続過程を行うことが可能である。
【００６２】
図６Ａ及び図６Ｂは任意接続過程を夫々例示する。図６Ａは、競合基盤の任意接続過程を示し、図６Ｂは専用任意接続過程を示している。
【００６３】
図６Ａを参照すると、競合基盤の任意接続過程は以下の４段階を含む。以下、段階１〜４で送信されるメッセージを各々メッセージ(Ｍｓｇ)１〜４と呼ぶ。
【００６４】
−段階１：ＲＡＣＨプリアンブル(ｖｉａ ＰＲＡＣＨ)(端末＝>基地局)
【００６５】
−段階２：任意接続応答(Ｒａｎｄｏｍ Ａｃｃｅｓｓ Ｒｅｓｐｏｎｓｅ；ＲＡＲ)(ｖｉａ ＰＤＣＣＨ及びＰＤＳＣＨ)(基地局＝>端末)
【００６６】
−段階３：Ｌａｙｅｒ ２／Ｌａｙｅｒ ３メッセージ(ｖｉａ ＰＵＳＣＨ)(端末＝>基地局)
【００６７】
−段階４：競合解消(ｃｏｎｔｅｎｔｉｏｎ ｒｅｓｏｌｕｔｉｏｎ)メッセージ(例えば、端末競争解決識別子を含むＭＡＣ制御要素(ｃｏｎｔｒｏｌ Ｅｌｅｍｅｎｔ;ＣＥ)(その後、端末競争解決識別子ＭＡＣ ＣＥという))(基地局＝>端末)
【００６８】
図６Ｂを参照すると、専用任意接続過程は以下の３段階を含む。以下、段階０〜２で送信されるメッセージを夫々メッセージ(Ｍｓｇ)０〜２と呼ぶ。図示していないが、任意接続過程の一部として、ＲＡＲに対応するアップリンク送信(即ち、段階３)を行うこともできる。専用の任意接続手順はＰＤＣＣＨ命令により開始される。ＰＤＣＣＨ命令又はＲＲＣ階層は選択的に任意接続プリアンブルとＰＲＡＣＨリソースを指示する。
【００６９】
−段階０：専用シグナリングを用いたＲＡＣＨプリアンブル割当(基地局＝>端末)
【００７０】
−段階１：ＲＡＣＨプリアンブル(ｖｉａ ＰＲＡＣＨ)(端末＝>基地局)
【００７１】
−段階２：任意接続応答(ＲＡＲ)(ｖｉａ ＰＤＣＣＨ及びＰＤＳＣＨ)(基地局＝>端末)
【００７２】
−段階３(図６に図示せず):(ＰＵＳＣＨを介する)Ｌａｙｅｒ２／Ｌａｙｅｒ３のメッセージ(例えば、Ｃ−ＲＮＴＩを含むＭＡＣ ＣＥ(その後、Ｃ−ＲＮＴＩ ＭＡＣ ＣＥという)(端末=>ｅＮＢ)
【００７３】
ＲＡＣＨプリアンブルを送信した後、端末は、時間ウィンドウ内で任意接続応答(ＲＡＲ)の受信を試みる。具体的に、端末は時間ウィンドウ内でＲＡ−ＲＮＴＩ(Ｒａｎｄｏｍ Ａｃｃｅｓｓ ＲＮＴＩ)を持つＰＤＣＣＨ(以下、ＲＡ−ＲＮＴＩ ＰＤＣＣＨ)(例、ＰＤＣＣＨにおいてＣＲＣがＲＡ−ＲＮＴＩでマスキングされる)の検出を試みる。ＲＡ−ＲＮＴＩ ＰＤＣＣＨ検出時に、端末はＲＡ−ＲＮＴＩ ＰＤＣＣＨに対応するＰＤＳＣＨ内に自身のためのＲＡＲが存在するか否かを確認する。ＲＡＲはＵＬ同期化のためのタイミングオフセット情報を示すタイミングアドバンス(Ｔｉｍｉｎｇ Ａｄｖａｎｃｅ；ＴＡ)情報、ＵＬリソース割当情報(ＵＬグラント)、臨時端末識別子(例、Ｔｅｍｐｏｒａｒｙ Ｃｅｌｌ−ＲＮＴＩ；ＴＣ−ＲＮＴＩ)などを含む。端末がＲＡＲを受信できないと、端末はバックオフの後にＲＡＣＨプリアンブルを再送信することができる。一方、端末がＲＡＲを受信すると、端末はＵＬグラント及びＲＡＲ内のＴＡ情報に従って初期ＵＬ送信(即ち、Ｍｓｇ３)を行う。
【００７４】
競争解決はＰＤＣＣＨ上のＣ−ＲＮＴＩ(例えば、ＣＲＣがＣ−ＲＮＴＩにマスクされるＰＤＣＣＨ)又はＤＬ−ＳＣＨ上の端末競争解決ＩＤ(例えば、ＭＡＣ ＰＤＵの端末競争解決ＩＤ ＭＡＣ ＣＥ)に基づく。具体的には、競争解決手順は以下のようなＭＡＣエンティティにより行われる。
【００７５】
一旦、Ｍｓｇ３が送信されると、ＭＡＣエンティティは以下の通り行う。
【００７６】
１＞Ｍｓｇ３の各ＨＡＲＱ再送信において、ｍａｃ−ＣｏｎｔｅｎｔｉｏｎＲｅｓｏｌｕｔｉｏｎＴｉｍｅｒを開始し、ｍａｃ−ＣｏｎｔｅｎｔｉｏｎＲｅｓｏｌｕｔｉｏｎＴｉｍｅｒを再開始する。
【００７７】
１＞ＰＤＣＣＨ送信(例えば、Ｍｓｇ４)の受信通知が下位階層(例えば、物理階層)から受信されると、ＭＡＣエンティティは：
【００７８】
２＞Ｃ−ＲＮＴＩ ＭＡＣ制御要素がＭｓｇ３に含まれた場合：
【００７９】
３＞任意接続手順がＵＥのＭＡＣ階層又はＢＳのＲＲＣ階層により開始され、ＰＤＣＣＨ送信(例えば、Ｍｓｇ４)がＣ−ＲＮＴＩにアドレスされ、新しい送信に対するＵＬグラントを含む場合;又は
【００８０】
３＞任意接続手順がＰＤＣＣＨ命令により開始され、ＰＤＣＣＨ送信(例えば、Ｍｓｇ４)がＣ−ＲＮＴＩにアドレスされる場合:
【００８１】
４＞この競争解決に成功したと判断する。
【００８２】
４＞ｍａｃ−ＣｏｎｔｅｎｔｉｏｎＲｅｓｏｌｕｔｉｏｎＴｉｍｅｒ中止;
【００８３】
４＞臨時Ｃ−ＲＮＴＩを廃棄;
【００８４】
２＞そうではない場合、ＣＣＣＨ ＳＤＵがＭｓｇ３に含まれ、ＰＤＣＣＨ送信(例：Ｍｓｇ４)が臨時Ｃ−ＲＮＴＩにアドレスされた場合:
【００８５】
３＞ＭＡＣ ＰＤＵ(例えば、Ｍｓｇ４のＰＤＳＣＨ)が成功的に復号された場合:
【００８６】
４＞ｍａｃ−ＣｏｎｔｅｎｔｉｏｎＲｅｓｏｌｕｔｉｏｎＴｉｍｅｒ中止;
【００８７】
４＞もしＭＡＣ ＰＤＵ(例えば、Ｍｓｇ４のＰＤＳＣＨ)が端末競争解決ＩＤ ＭＡＣ制御要素を含む場合；及び
【００８８】
４＞ＭＡＣ制御要素に含まれた端末競争解決ＩＤがＭｓｇ３で送信されたＣＣＣＨ ＳＤＵの最初の４８個のビットと一致する場合:
【００８９】
５＞この競争解決が成功的であったと判断してＭＡＣ ＰＤＵの分解(ｄｉｓａｓｓｅｍｂｌｙ)及び逆多重化(ｄｅｍｕｌｔｉｐｌｅｘｉｎｇ)を完了する。
【００９０】
５＞Ｃ−ＲＮＴＩを臨時Ｃ−ＲＮＴＩの値に設定する；
【００９１】
５＞臨時Ｃ−ＲＮＴＩを廃棄する;
【００９２】
５＞この任意接続手順が成功的に完了したと判断する。
【００９３】
４＞その他に、
【００９４】
５＞臨時Ｃ−ＲＮＴＩを廃棄し;
【００９５】
５＞この競争解決に失敗したと判断して、成功的に復号されたＭＡＣ ＰＤＵを廃棄する。
【００９６】
１＞ｍａｃ−ＣｏｎｔｅｎｔｉｏｎＲｅｓｏｌｕｔｉｏｎＴｉｍｅｒが満了した場合:
【００９７】
２＞臨時Ｃ−ＲＮＴＩを廃棄し;
【００９８】
２＞競争解決に失敗したと判断する。
【００９９】
１＞競争解決に失敗したと判断されると、ＭＡＣエンティティは以下の通り行う。
【０１００】
２＞Ｍｓｇ３バッファーでＭＡＣ ＰＤＵの送信に使用されたＨＡＲＱバッファーをフラッシュする;
【０１０１】
２＞バックオフパラメータに基づいて、０とバックオフパラメータ値の間の均一な分布によって任意のバックオフ時間を選択し；
【０１０２】
２＞バックオフ時間まで後続任意接続の送信を遅延させる;
【０１０３】
２＞任意接続リソースの選択及び後続任意接続の送信に進む。
【０１０４】
ネットワーク制御移動性はＲＲＣ＿ＣＯＮＮＥＣＴＥＤのＵＥに適用され、ＲＲＣと共に、又はＲＲＣ無しに処理される。ＲＲＣによる移動性(ＲＲＣ ｄｒｉｖｅｎ ｍｏｂｉｌｉｔｙ)はセルレベルの移動性、即ち、ハンドオーバーを担当する。図７は基地局の間(ｉｎｔｅｒ−ｇＮＢ)のハンドオーバー手順を示す図である。図７を参照すると、ネットワーク制御ハンドオーバー手順は以下のように行われる。
【０１０５】
段階１)ソース基地局(ｇＮＢ)は端末からの測定報告及びＲＲＭ(Ｒａｄｉｏ Ｒｅｓｏｕｒｃｅ Ｍａｎａｇｅｍｅｎｔ)情報に基づいて端末をハンドオーバーすると決定する。その後、ソース基地局はハンドオーバー手順を開始し、Ｘｎインターフェースによりターゲット基地局にハンドオーバー要請を送る。ハンドオーバー要請はターゲット基地局側でハンドオーバーを準備するために必要な情報を含む(例えば、ソース基地局で端末のＣ−ＲＮＴＩを含むＲＲＣコンテキスト、ＡＳ構成、Ｅ−ＲＡＢコンテキスト及びソースセルの物理階層ＩＤ)。
【０１０６】
段階２)ターゲット基地局は承認制御を行い、ソース基地局にハンドオーバー確認の一部としてＲＲＣ構成を提供する。ハンドオーバーの確認は、ハンドオーバーを行うためにＲＲＣメッセージとして端末に送信される透明コンテナを含む。コンテナは新しいＣ−ＲＮＴＩ、選択された保安アルゴリズムに対するターゲット基地局保安アルゴリズム識別子を含み、専用ＲＡＣＨプリアンブル及び可能であれば、他のパラメータ、即ち、アクセスパラメータ、システム情報ブロック(ＳＩＢ)などを含む。
【０１０７】
段階３)ソース基地局はハンドオーバー命令としてターゲット基地局から受信されたＲＲＣ構成を端末に提供する。ハンドオーバー命令メッセージは、端末がシステム情報を読まなくてもターゲットセルに接続できるように少なくともセルＩＤ及びターゲットセル(即ち、ターゲット基地局)に接続するために必要な全ての情報を含む。場合によっては、競争基盤及び無競争の任意接続に必要な情報がハンドオーバー命令メッセージに含まれる。ターゲットセルへの接続情報はビーム特定の情報があれば、それを含む。端末は、端末がハンドオーバー命令メッセージを受信する時、タイマーＴ３０４を開始する。また端末は、新しいセル(即ち、ターゲットセル又は基地局)に転換／連結する手順を行う。例えば、新しいセルに転換／連結する手順は任意接続手順を含む。ハンドオーバー命令に専用任意接続リソースが含まれるか否か、無競争の任意接続手順に失敗したか否かによって、無競争及び／又は競争基盤の任意接続を使用することができる。
【０１０８】
段階４)新しいセル(即ち、ターゲットセル)に転換する手順である場合、端末はＲＲＣ連結をターゲット基地局に移動させ、ハンドオーバー完了と応答する。
【０１０９】
一方、タイマーＴ３０４が満了すると、端末はハンドオーバー手順に失敗したと判断する。ハンドオーバー手順に失敗すると、端末は、例えば、ｐｈｙｓｉｃａｌＣｏｎｆｉｇＤｅｄｉｃａｔｅｄ、ｍａｃ−ＭａｉｎＣｏｎｆｉｇ及びＳＰＳ−Ｃｏｎｆｉｇにより構成された設定を除いてソースセルで使用された構成に返って連結再設定の手順を開始する。
【０１１０】
図８は連結再設定の手順を示す図である。この手順の目的は、ＳＲＢ１(Ｓｙｓｔｅｍ ｒａｄｉｏ Ｂｅａｒｅｒ１)作業の再開、保安の再活性化及びＰＣｅｌｌ構成のみを含むＲＲＣ連結を再設定することである。
【０１１１】
図８を参照すると、端末はＲＲＣ連結再設定要請メッセージをネットワーク(例えば、サービングセル又は基地局)に送信する。この場合、ネットワークはＲＲＣ連結再設定要請を承諾又は拒絶する。ネットワークがＲＲＣ連結再設定要請を承諾すると、ネットワークはＲＲＣ連結再設定メッセージを端末に送信し、その後、端末はＲＲＣ連結再設定を行って、ＲＲＣ連結再設定完了メッセージを端末に送信する。一方、ネットワークがＲＲＣ連結再設定要請を拒絶すると、ネットワークはＲＲＣ連結再設定拒絶メッセージを端末に送信する。
【０１１２】
例：条件基盤のハンドオーバーにおいてハンドオーバー失敗
【０１１３】
３ＧＰＰ Ｎｅｗ ｒａｄｉｏ(ＮＲ)において、候補ハンドオーバーメカニズムのうちの１つは自律条件基盤のハンドオーバー(又は条件基盤のハンドオーバー)である。条件基盤のハンドオーバーにおいて、ネットワークは、候補ターゲットセルに対する条件及び無線リソース構成情報を提供し、端末はその条件を評価する。ソースセル及び／又はターゲットセルに対して上記条件が満たされると、端末はターゲットセルに連結を試みる。端末がターゲットセルに成功的に連結されると、端末はターゲットセルの構成を適用する。条件基盤のハンドオーバーは測定報告の送信、ハンドオーバー命令の受信及びハンドオーバー準備にかかる時間を短縮して、適切な時間内にハンドオーバー命令を受信できなくて発生するハンドオーバー失敗を減らすことができる。これは高周波数のビーム形成システムによってチャネル条件が急に変化する状況で有用である。
【０１１４】
図９は条件基盤のハンドオーバー手順を示す図である。
【０１１５】
図９を参照すると、端末には候補ターゲットセルのセットに関連する情報及びハンドオーバーのための条件(例えば、ＲＳＲＰ)を含むハンドオーバー支援情報が提供される(段階３)。ネットワークは選択的に受信された測定報告に基づいて候補ターゲットセルのセットを決定する(段階１〜２)。測定報告がなくてもネットワークはハンドオーバー支援情報を提供することができる。その後、端末は候補ターゲットセルリストに対する条件を評価して、候補ターゲットセルのうちのいずれか１つにハンドオーバー手順を行うか否かを決定する。候補ターゲットセルに対する条件が満たされると、端末は候補ターゲットセルに連結を行う(段階５)。候補ターゲットセルに接続した後、候補ターゲットセルはソースセル(例えば、基地局)から関連端末コンテキストをフェッチ(ｆｅｔｃｈ)するか(段階５)、或いはソースセルは条件基盤のハンドオーバーを行う前に関連端末コンテキストを候補ターゲットセルに提供する。
【０１１６】
上述したように、条件基盤のハンドオーバーにおいてハンドオーバー支援情報により複数の候補ターゲットセルが指示される。この場合、端末がいつハンドオーバー手順の失敗を宣言するかは、未だ論議されていない。従って、本発明ではセルを考慮してハンドオーバーの失敗を決定する方法、及びハンドオーバー失敗を考慮する条件基盤のハンドオーバー手順を提供する。上記説明において、条件基盤のハンドオーバーは自律ハンドオーバーと混用できる。
【０１１７】
理解を容易にするために、まずハンドオーバー失敗(ＨＯＦ)に関連する動作について説明する。このために、候補ターゲットセルのリストがネットワーク(例えば、ソースセル)から端末に提供され、ソースセル及び／又は候補ターゲットセルのうちのいずれか１つに対する自律ハンドオーバー条件が満たされると仮定する。この場合、例えば、端末は任意接続手順を用いてターゲットセルに連結を行うことができる。任意接続手順はネットワークにより提供される無競争の任意接続リソース(例えば、時間／周波数／専用プリアンブル／ビーム)を使用して行われる。ターゲットセルに対する無競争の任意接続リソースが提供されないと、端末は競争基盤の任意接続手順を行うことができる。
【０１１８】
この場合、端末は、少なくとも以下のような場合、１つの候補ターゲットセルに対するハンドオーバー失敗(ＨＯＦ)を決定する。
【０１１９】
ケース１)端末は１つの候補ターゲットセルに対するハンドオーバー条件を満した時、タイマーＴｘｘｘ(例えば、Ｔ３０４)を開始することができる。タイマー値(即ち、タイマー値)はハンドオーバー支援情報の一部として提供される。端末が１つの候補ターゲットセルに対する任意接続手順が成功的であったと判断すると(例えば、ＭＡＣがＣ−ＲＮＴＩにアドレスされたＰＤＣＣＨ送信の成功的な受信を指示すると)、端末はタイマーを停止させる。タイマーが満了すると、端末は１つの候補ターゲットセルへのハンドオーバーに失敗したと判断する。タイマー値は各々の候補ターゲットセル(グループ)ごとに構成されるか、又は１つの共通タイマー値が全ての候補ターゲットセルに対して設定される。
【０１２０】
ケース２)１つの候補ターゲットセルに対する任意接続を行う回数(例えば、プリアンブル送信回数)が１つの候補ターゲットセルに対する任意接続に成功する前に最大臨界値に到達すると、端末は１つの候補ターゲットセルへのハンドオーバーに失敗したと決定する。最大臨界値は正の整数である。"任意接続に成功する前"という表現は、"１つの候補ターゲットセルに対するタイマーが動作する間"という表現と同じ意味である。各候補目標セル(グループ)ごとに最大臨界数が設定されるか、又は全ての候補ターゲットセルに対して１つの最大臨界数が設定される。
【０１２１】
候補ターゲットセルに対するハンドオーバー失敗を決定するために、少なくとも２つの場合が結合される。例えば、端末はケース１及び２のうちのいずれか１つが発生した時、候補ターゲットセルに対するハンドオーバー失敗を決定することができる。
【０１２２】
従来のネットワーク制御ハンドオーバーにおいて(図８を参照)、ハンドオーバー命令により１つのターゲットセル(例えば、基地局)のみが指示され、ハンドオーバー失敗はタイマー(例えば、Ｔ３０４)に基づいて決定されるので、タイマーは候補ターゲットセルが１つだけである状況で指示されたターゲットセルに連結を行うために十分な時間を提供する。一方、条件基盤のハンドオーバーにおいて、ハンドオーバー支援情報により複数の候補ターゲットセルを指示することができる。従って、全ての候補ターゲットセルの各々に対してこのように十分な時間が保障されると、自律ハンドオーバー条件を満たす候補ターゲットセルの数に比例して候補ターゲットセルのハンドオーバー失敗の決定に長い時間がかかる。従って、任意接続を行う回数(例えば、プリアンブル送信の数)に基づいてハンドオーバー失敗を決定する方が有利である。しかし、任意接続を試みることは様々な段階(例えば、ＲＡＲ受信無し、競争解決失敗)で失敗することができ、所定の数の任意接続を行う時に予想より長い時間がかかることもある。従って、ケース１のタイマーに基づいて候補ターゲットセルに連結を行うときに使用する時区間の境界を制限することにより、各々の候補ターゲットセルに対するハンドオーバー失敗決定における予想外の遅延を避けることができる。
【０１２３】
１つの候補ターゲットセルへのハンドオーバー失敗後、受信されたハンドオーバー支援情報のリストに新しい候補ターゲットセルが存在し、新しい候補ターゲットセル及び／又はサービングセルに対して自律ハンドオーバー条件が満たされると、端末は新しい候補ターゲットセルに連結することができる。これは、全体ハンドオーバー手順が失敗したと判断されるまで無競争の任意接続リソース(例えば、時間／周波数／専用プリアンブル／ビーム)及び／又は競争基盤の任意接続リソースを使用して新しい候補ターゲットセルに任意接続手順を行うことを含む。
【０１２４】
以下の場合は、全体ハンドオーバー手順に失敗したと判断される。
【０１２５】
−１つの候補ターゲットセルに連結できなかった後、新しい候補ターゲットセルがハンドオーバー支援情報のリストになく、及び／又はハンドオーバー支援情報リストにある新しい候補ターゲットセルが自律ハンドオーバーの条件を満たさない場合。
【０１２６】
−ハンドオーバー支援情報がそれ以上有効でない前に端末が自律ハンドオーバー手順に成功できなかった場合、１つの候補ターゲットセルに自律的に連結を行った(例えば、自立ハンドオーバー手順に基づく任意接続手順を行った)ハンドオーバー支援情報の有効性は、該当タイマーが満了したか否かに基づいて決定される。該当時間はハンドオーバー支援情報が受信される時に開始される。該当時間は候補ターゲットセルのうちの１つに対するハンドオーバーに成功すると停止する。
【０１２７】
候補ターゲットセルに連結を行う前に、受信されたハンドオーバー支援情報の有効性が満了すると、端末は受信されたハンドオーバー支援情報を廃棄し、全体ハンドオーバー手順が失敗したと判断する。一方、候補ターゲットセルに連結を行う間、受信されたハンドオーバー支援情報の有効性が満了すると、端末は候補ターゲットセルに対して進行中のハンドオーバー手順の結果を待った後、候補ターゲットセルに対して進行中のハンドオーバー手順が失敗すると、全体ハンドオーバー手順に失敗したと判断する。又は端末は、候補ターゲットセルに対して進行中のハンドオーバー手順(例えば、任意接続)を中止し、全体ハンドオーバー手順に失敗したと判断する。
【０１２８】
全体ハンドオーバー手順に失敗したと判断されると、端末はＲＲＣ連結再設定の手順を行う。全体ハンドオーバー手順に失敗したと判断され、ソースセル関連条件がハンドオーバー支援情報により提供され、ソースセル関連条件が満たされないと(例えば、ソースセルのＲＳＲＰが良好)、端末はＲＲＣ連結再設定の手順を行わず、タイマーが満了されなかった場合、端末はハンドオーバー支援情報に対する有効性タイマーを続ける実行することができる。
【０１２９】
一方、候補ターゲットセルに連結を行う間に、同様にソースセル関連条件(提供された場合)が満たされないか(例えば、ソースセルのＲＳＲＰがＲＳＲＰ臨界値を超える)、又は候補ターゲットセルに対する条件が満たされないと、端末は、候補ターゲットセルに対して進行中のハンドオーバー手順の結果を待った後、候補ターゲットセルへのハンドオーバーが失敗したと判断することができる。又は、端末は候補ターゲットセルに対して進行中のハンドオーバー手順を中断する。有効性タイマーが満了していない場合は、端末はＲＲＣ連結再設定手順を行わず、ハンドオーバー支援情報に対する有効性タイマーの動作を続ける。
【０１３０】
図１０は本発明の一例によるハンドオーバー(ＨＯ)手順を示す図である。図１０を参照すると、基本的にＨＯ手順は、ＨＯ支援情報を受信する段階、１つのセルに対して自律的ＨＯ条件が満たされると、この１つのセルに自律的連結を行う段階、１つのセルに対するハンドオーバー失敗(ＨＯＦ)を決定する段階、及び受信されたハンドオーバー支援情報で自律的ＨＯ条件を満たす他のセルがリストに存在する場合、他のセルにＨＯを行う段階で構成される。
【０１３１】
具体的には、ＨＯ手順は以下のように行われる。
【０１３２】
段階０)ネットワーク(例えば、ソースセル又は基地局)は測定設定を構成し、端末は測定結果をネットワークに報告する。この例において、測定された結果はセル１及びセル２に関する情報を含む。その後、ネットワークはセル１及びセル２を端末に対する候補ターゲットセルとして準備する。
【０１３３】
段階１)端末は(専用シグナリングにより)ネットワークからＨＯ支援情報を受信する。ＨＯ支援情報は以下のうちのいずれか１つに関する情報を含む。
【０１３４】
−１つ以上の候補ターゲット(又は隣接)セルのセルＩＤリスト(即ち、セルのリスト)(例えば、セル１及びセル２のセルＩＤ)、
【０１３５】
−各候補ターゲットセルに関する無線リソース設定情報、
【０１３６】
−各候補ターゲットセルに関する任意接続情報(例：時間／周波数／プリアンブル／ビームＩＤ)、
【０１３７】
−自律的ＨＯ条件、及び
【０１３８】
−ＨＯ支援情報に対する有効タイマー値
【０１３９】
自律的ＨＯ条件は以下の条件のうち、１つ以上を含む。
【０１４０】
−各候補ターゲットセルに対するチャネル品質臨界値。全ての候補ターゲットセルに対して１つの共通チャネル品質臨界値が提供されるか、又は各々の候補ターゲットセルに対して個別チャネル品質臨界値が提供される。例えば、チャネル品質臨界値はＲＳＲＰ／ＲＳＲＱ(Ｒｅｆｅｒｅｎｃｅ Ｓｉｇｎａｌ Ｒｅｃｅｉｖｅｄ Ｐｏｗｅｒ／Ｒｅｆｅｒｅｎｃｅ Ｓｉｇｎａｌ Ｒｅｃｅｉｖｅｄ Ｑｕａｌｉｔｙ)に基づいて提供される。
【０１４１】
−サービングセルに対するチャネル品質(例：ＲＳＲＰ／ＲＳＲＱ基盤)の臨界値。
【０１４２】
ＨＯ支援情報を受信した後、端末は受信された有効性タイマー値で有効性タイマーを設定し(ＨＯ支援情報の受信時間から)有効性タイマーを開始する。有効性タイマーが実行される間に端末は受信されたハンドオーバー支援情報が有効であると見なす。
【０１４３】
段階２)ＨＯ支援情報を受信した後、端末は受信されたＨＯ支援情報にリストされた候補ターゲットセルを測定して自律ＨＯ条件を評価する。例えば、端末は自律ＨＯ条件を評価するために使用されるチャネル品質(例えば、ＲＳＲＰ／ＲＳＲＱ)を測定して各候補ターゲットセルに対して自律ＨＯ条件を満たすか否かを評価する。例えば、以下のうちのいずれか１つを満たすと、端末は自律的ＨＯ条件を満たすと判断する。
【０１４４】
−端末は特定時間の間に候補ターゲットセルのＲＳＲＰ／ＲＳＲＱが受信されたチャネル品質臨界値以上であるか否かを評価する。また候補ターゲットセルのＲＳＲＰ／ＲＳＲＱは特定時間の間に受信されたチャネル品質臨界値以上である。及び／又は
【０１４５】
−端末はサービングセルのＲＳＲＰ／ＲＳＲＱが特定時間の間に受信されたチャネル品質臨界値以下であるか否かを評価する。またサービングセルのＲＳＲＰ／ＲＳＲＱは特定時間の間に受信されたチャネル品質臨界値以下である。
【０１４６】
段階３−４)端末は候補ターゲットセルに対する自律ＨＯ条件が満たされる時、タイマー(例えば、Ｔ３０４)を開始する。タイマーＴ３０４値は、さらにＨＯ支援情報の一部(例えば、自律ＨＯ条件)として提供される。また端末は候補ターゲットセルに対する自律的ＨＯ条件が満たされる時、候補ターゲットセルに連結するための手順(例えば、任意接続手順)を開始する。端末が任意接続が成功的であったと判断すると(例えば、ＭＡＣがＣ−ＲＮＴＩにアドレスされたＰＤＣＣＨ送信の成功的な受信を示すと)(即ち、候補ターゲットセルに対するＨＯが成功的であったと判断すると)、端末は実行タイマー(例えば、有効性タイマー(タイマーＴ３０４))を中断し、候補ターゲットセルに対する設定を適用して、他の候補ターゲットセルに対する設定を廃棄する。
【０１４７】
一方、端末は以下のうちのいずれか１つが発生した時、候補ターゲットセル(即ち、１つのセル)に対するＨＯに失敗したと決定する。
【０１４８】
−タイマーＴ３０４が候補ターゲットセルに対して満了し、
【０１４９】
−１つのセル(即ち、候補ターゲットセル)への任意接続を行う回数(例えば、任意接続プリアンブル送信回数)が、任意接続成功前に最大臨界値に到達する。
【０１５０】
段階５)端末が候補ターゲットセル(即ち、１つのセル)に対するＨＯに失敗したと判定できる場合、端末は候補ターゲットセルに連結するための手順を中止し(例えば、候補ターゲットセルへの連結を行わない)、次の候補ターゲットセルがあれば、そのセルを選択／測定する。
【０１５１】
段階６)端末は新しい候補ターゲットセルが受信されたＨＯ支援情報にリストされたか否か、及び新しい候補ターゲットセルが自律ＨＯ条件を満たすか否かを決定する。
【０１５２】
段階７)新しい候補ターゲットセルがＨＯ支援情報にリストされ、新しい候補ターゲットセルが自律的ＨＯ条件を満たすと、端末は新しい候補ターゲットセルに連結を行う。これは提供された無競争の任意接続リソース(例えば、時間／周波数／専用プリアンブル／ビーム)及び／又は競争基盤の任意接続リソースを使用して、新しい候補に対する任意接続手順を行うことを含む。端末は段階３から始まる。
【０１５３】
段階８)ＨＯ支援情報に新しい候補ターゲットセルがリストされていないか、又はＨＯ支援情報にリストされた新しい候補ターゲットセルがいずれも自律ＨＯ条件を満たさないと、端末は全体ＨＯに失敗したと決定する。また端末がＨＯ支援情報が有効でないと決定すると(例えば、ＨＯ支援情報に対して有効タイマーが満了する)、端末はＨＯ支援情報を廃棄する。１つのセルに自律的に連結を行っと後(即ち、自律的ＨＯ手順に基づく任意接続を行う)、ＨＯ支援情報がそれ以上有効でなく、端末が自律的ＨＯ手順に成功できないと、端末は全体ＨＯに失敗したと決定する。全体ＨＯに失敗すると、端末はＲＲＣ連結再設定手順を行う。
【０１５４】
図１１は本発明の一実施例による通信装置を示すブロック図である。
【０１５５】
図１１に示した装置は、メカニズムを行うように構成されたユーザ端末(ＵＥ)及び／又は基地局(ｅＮＢ)であってもよいが、同一の動作を行う任意の装置であってもよい。
【０１５６】
図１１に示したように、上記装置はＤＳＰ(Ｄｉｇｉｔａｌ Ｓｉｇｎａｌ Ｐｒｏｃｅｓｓｏｒ)／マイクロプロセッサ１１０及びＲＦ(Ｒａｄｉｏ Ｆｒｅｑｕｅｎｃｙ)モジュール(送受信機；１３５)を含む。ＤＳＰ／マイクロプロセッサ１１０は、送受信機１３５に電気的に接続されて送受信機１３５を制御する。さらに、この装置は設計者の選択によって、電力管理モジュール１０５、バッテリ１５５、ディスプレイ１１５、キーパッド１２０、ＳＩＭカード１２５、メモリ装置１３０、スピーカー１４５及び入力装置１５０を含むこともできる。
【０１５７】
特に、図１１は、ネットワークから無線信号を受信するように構成された受信機１３５及びネットワークに無線信号を送信するように構成された送信機１３５を含む端末を示してもよい。このような受信機と送信機は送受信機１３５を構成する。端末は送受信機(受信機及び送信機、１３５)に接続されたプロセッサ１１０をさらに含むこともできる。
【０１５８】
また図１１は端末に無線信号を送信するように構成された送信機１３５及び端末から無線信号を受信するように構成された受信機１３５を含むネットワーク装置(例えば、ｅＮＢ又は基地局)を示してもよい。送信機及び受信機は送受信機１３５を構成する。さらにネットワークは送信機及び受信機に接続されたプロセッサ１１０を含む。このプロセッサ１１０は、送受信機１３５に接続され、本発明で提案する手順及び／又は方法を具現するように構成される。
【０１５９】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０１６０】
本発明の実施例において、基地局によって行われると説明された特定の動作は、上位ノードのＢＳによって行われてもよい。ＢＳを含む複数のネットワークノードで、ＭＳとの通信のために行われる様々な動作が、基地局によって行われるか、あるいは基地局以外の他のネットワークノードによって行われることは明らかである。「ｅＮＢ」は、「固定局(ｆｉｘｅｄ ｓｔａｔｉｏｎ)」、「ＮｏｄｅＢ」、「基地局(ＢＳ)」、アクセスポイントなどの用語に代替されてもよい。
【０１６１】
上述した本発明の各実施例は多様な手段、例えば、ハードウェア、ファームウェア(ｆｉｒｍｗａｒｅ)、ソフトウェア又はこれらの結合などによって具現することができる。
【０１６２】
ハードウェアによる具現の場合、本発明の各実施例に係る方法は、１つまたはそれ以上のＡＳＩＣｓ(Ａｐｐｌｉｃａｔｉｏｎ Ｓｐｅｃｉｆｉｃ Ｉｎｔｅｇｒａｔｅｄ Ｃｉｒｃｕｉｔｓ)、ＤＳＰｓ(Ｄｉｇｉｔａｌ Ｓｉｇｎａｌ Ｐｒｏｃｅｓｓｏｒｓ)、ＤＳＰＤｓ(Ｄｉｇｉｔａｌ Ｓｉｇｎａｌ Ｐｒｏｃｅｓｓｉｎｇ Ｄｅｖｉｃｅｓ)、ＰＬＤｓ(Ｐｒｏｇｒａｍｍａｂｌｅ Ｌｏｇｉｃ Ｄｅｖｉｃｅｓ)、ＦＰＧＡｓ(Ｆｉｅｌｄ Ｐｒｏｇｒａｍｍａｂｌｅ Ｇａｔｅ Ａｒｒａｙｓ)、プロセッサ、コントローラー、マイクロコントローラー、マイクロプロセッサなどによって具現することができる。
【０１６３】
ファームウェアやソフトウェアによる具現の場合、本発明の各実施例に係る方法は、以上で説明した機能または動作を行うモジュール、手順または関数などの形態で具現することができる。ソフトウェアコードは、メモリユニットに保存してプロセッサによって駆動することができる。メモリユニットは、プロセッサの内部または外部に位置し、既に公知の多様な手段によってプロセッサとデータをやり取りすることができる。
【０１６４】
本発明は、本発明の特徴を逸脱しない範囲内で他の特定の形態に具体化できるということは、当業者にとって自明である。従って、前記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１６５】
上記方法は３ＧＰＰ ＬＴＥ及びＮＲシステムに適用される例を中心として説明したが、本発明は３ＧＰＰ ＬＴＥ及びＮＲシステム以外の様々な無線通信システムに適用することができる。
【図１】
2020524937.tif 000003
【図２Ａ】
2020524937.tif 000004
【図２Ｂ】
2020524937.tif 000005
【図３】
2020524937.tif 000006
【図４Ａ】
2020524937.tif 000007
【図４Ｂ】
2020524937.tif 000008
【図５】
2020524937.tif 000009
【図６Ａ】
2020524937.tif 000010
【図６Ｂ】
2020524937.tif 000011
【図７】
2020524937.tif 000012
【図８】
2020524937.tif 000013
【図９】
2020524937.tif 000014
【図１０】
2020524937.tif 000015
【図１１】
2020524937.tif 000016
【国際調査報告】
2020524937.tif 000017
2020524937.tif 000018